(57)【要約】【課題】蓋を開放状態に保持し内容物を取り出しやすくする。【解決手段】容器本体の開口部を密封する被せ蓋部（１）と、容器本体の回りに巻き付けられる外れ防止用巻付け部（３）と、被せ蓋部（１）と外れ防止用巻付け部（３）とを連結するピルファープルーフ部（２）と、被せ蓋部（１）と外れ防止用巻付け部（３）との間にピルファープルーフ部（２）の一部を除くように形成される空隙部（６ａ，６ｂ，６ｃ）とを備え、空隙部（６ａ，６ｂ，６ｃ）内に被せ蓋部（１）と外れ防止用巻付け部（３）とを連結するヒンジ部（５ａ，５ｂ）が複数箇所にわたって設けられ、ピルファープルーフ部（２）を除去後ヒンジ部（５ａ，５ｂ）で被せ蓋部（１）を開放した時に被せ蓋部（１）を開放状態に係止する係止突起（８）が外れ防止用巻付け部（３）に設けられる。【選択図】　　　図３
2004001884.tif 000002
【特許請求の範囲】
【請求項１】
容器本体の開口部を密封する被せ蓋部と、容器本体の回りに巻き付けられる外れ防止用巻付け部と、被せ蓋部と外れ防止用巻付け部とを連結するピルファープルーフ部と、被せ蓋部と外れ防止用巻付け部との間にピルファープルーフ部の一部を除くように形成される空隙部とを備え、空隙部内に被せ蓋部と外れ防止用巻付け部とを連結するヒンジ部が複数箇所にわたって設けられ、ピルファープルーフ部を除去後ヒンジ部で被せ蓋部を開放した時に被せ蓋部を開放状態に係止する係止突起が外れ防止用巻付け部に設けられたことを特徴とする容器の蓋。
【請求項２】
請求項１に記載の容器の蓋において、外れ防止用巻付け部から被せ蓋部に向かって突出する台座片が空隙部内に設けられたことを特徴とする容器の蓋。
【請求項３】
請求項２に記載の容器の蓋において、係止突起が台座片に設けられたことを特徴とする容器の蓋。
【請求項４】
請求項１乃至請求項３のいずれかに記載の容器の蓋において、ピルファープルーフ部を除去後ヒンジ部で被せ蓋部を開放した時に被せ蓋部を開放状態へと案内する案内片が外れ防止用巻付け部又は台座片に設けられたことを特徴とする容器の蓋。
【請求項５】
請求項４に記載の容器の蓋において、案内片が係止突起と一体で設けられたことを特徴とする容器の蓋。
【請求項６】
請求項１乃至請求項５のいずれかに記載の容器の蓋において、被せ蓋部が係止突起に係止する時の開度以上に被せ蓋部が開くのを阻止するストッパが設けられたことを特徴とする容器の蓋。
【請求項７】
請求項１乃至請求項６のいずれかに記載の容器の蓋において、外れ防止用巻付け部が容器本体の壁面下に没するように容器本体に巻き付けられたことを特徴とする容器の蓋。
【発明の詳細な説明】
【０００１】
【発明の属する技術分野】
本発明は、容器の蓋に関し、更に詳しくは、主に粉状、顆粒状、粒状などの内容物が密封包装され、使用時に計量スプーンなどで少量ずつ計量して使用される容器に好適に用いられる蓋であって、蓋全体を、容器本体に連結された状態で、例えば９０°以上の開き角度で大きく開くことができ、内容物の取り出しが容易で使い勝手がよく、且つ、内容物の取り出し後は、密封性よく再封することができ、安全に繰り返し内容物を使用することのできる蓋に関する。
【０００２】
【従来の技術】
従来、粉状、顆粒状、粒状などの内容物が密封包装され、内容物の使用時に計量スプーンなどで少量ずつ計量して使用される容器に用いられる蓋としては、代表的な例として、例えば、粉ミルク用の円筒状の缶容器に用いられているポリエチレン製の蓋がある。粉ミルク用の缶容器と、それに用いる蓋の場合、円筒状の缶容器の上部には、金属製のイージーオープン内蓋、またはプラスチック成形体による摺り切り板とアルミニウム箔などの基材にヒートシール性樹脂を積層したシール蓋による内蓋が設けられ、外蓋にポリエチレンの成形体による被せ蓋が用いられる。
【０００３】
また、蓋全体を容器本体に連結された状態で大きく開くことができ、内容物の取り出し後も密封性よく再封することができる蓋としては、特許文献１に記載されるようなものがある。この容器の蓋は、容器本体の開口部を密封する被せ蓋部と、容器本体の開口部の半周に巻き付けられる外れ防止用巻付け部と、容器本体の開口部の残りの半周に巻き付けられるピルファープルーフ用のバンド部と、被せ蓋部を外れ防止用巻付け部側とバンド部側とに区画するように被せ蓋部上を横断するヒンジ部とを具備する。
【０００４】
蓋を開けるに際して、まずピルファープルーフ用のバンド部を引きちぎり、このバンド部に対応した被せ蓋部の箇所を容器本体から解放する。次に、この被せ蓋部の箇所を容器本体上に押し上げるようにすると、被せ蓋部がヒンジ部の箇所で上方に屈曲し、容器本体の開口部が開放される。被せ蓋部の外れ防止用巻付け部に対応した箇所は容器本体側に残留するので、被せ蓋部は容器本体上に留まったままで開閉動作することになる。内容物を取り出した後、被せ蓋部を下方に押し下げるようにすると、容器本体の開口部を再度密封することができる。
【０００５】
【特許文献１】実公平７−３９８０３号公報
【０００６】
【発明が解決しようとする課題】
しかし、被せ蓋形式の蓋は、内容物を取り出す際、一旦蓋全体を缶容器から取り外して、その蓋をテーブルや台所の台上に置く必要があり、この時、蓋上にほこりや髪の毛、水滴などが付着して、再封時にこれらが粉ミルクの中に落下するなどして不衛生になる問題がある。
【０００７】
特許文献１が開示する蓋は、蓋の天面内にヒンジ部付きの開閉蓋を設け、その開閉蓋の開閉により内容物を取り出す形態であるから、このような問題を解消する。
【０００８】
しかしながら、上記ヒンジ部付きの開閉蓋を蓋天面内に設けた場合、ヒンジ部側面には切断部があり、ヒンジ部の両端と容器本体の開口部との境界部に隙間が生じるので、再封後に容器本体の密封性を維持し難いという問題がある。すなわち、この部分の密封性が劣るため粉ミルクが吸湿してしまうといった問題や、開封がフルオープンでなくなるため、粉ミルクの取り出しが容易でないなどの不都合がある。このような問題は、内容物が粉ミルクの場合に限らず、粉状、顆粒状、粒状などのコーヒーやココア、その他、調味料などの場合でも同様である。
【０００９】
また、特許文献１が開示する容器の蓋はピルファープルーフ用のバンド部を切断した後も繰り返し再封可能であるが、ヒンジ部のバネ作用で被せ蓋部が閉じる方向に戻ろうとするので、内容物を取り出し難いという問題がある。また、被せ蓋部が容器本体から脱落しやすいという問題もある。
【００１０】
本発明は、このような問題点を解決するためになされたものであり、その目的とするところは、主に、粉状、顆粒状、粒状などの内容物を密封包装し、内容物の使用時に、計量スプーンなどで少量ずつ小出しに取り出して使用する容器に用いる蓋であって、ピルファープルーフ性があり、内容物を取り出す際、蓋を容器に連結された状態で全開させることができ、内蓋の取り外しや内容物の取り出しが容易で、且つ異物混入などの危険性も少なく衛生的であり、更に、内容物を少量ずつ計量して取り出した後も、容易に密封性よく再封することのできる蓋を提供することにある。
【００１１】
【課題を解決するための手段】
上記の課題は、以下の本発明により解決することができる。
【００１２】
即ち、請求項１に記載した発明は、容器本体（５０，５２）の開口部（５８）を密封する被せ蓋部（１，６０）と、容器本体（５０，５２）の回りに巻き付けられる外れ防止用巻付け部（３，６１）と、被せ蓋部（１，６０）と外れ防止用巻付け部（３，６１）とを連結するピルファープルーフ部（２，６２）と、被せ蓋部（１，６０）と外れ防止用巻付け部（３，６１）との間にピルファープルーフ部（２，６２）の一部を除くように形成される空隙部（６ａ，６ｂ，６ｃ，６３）とを備え、空隙部（６ａ，６ｂ，６ｃ，６３）内に被せ蓋部（１，６０）と外れ防止用巻付け部（３，６１）とを連結するヒンジ部（５ａ，５ｂ，６８ａ，６８ｂ）が複数箇所にわたって設けられ、ピルファープルーフ部（２，６２）を除去後ヒンジ部（５ａ，５ｂ，６８ａ，６８ｂ）で被せ蓋部（１，６０）を開放した時に被せ蓋部（１，６０）を開放状態に係止する係止突起（８，７０）が外れ防止用巻付け部（３，６１）に設けられたことを特徴とする容器の蓋である。換言すれば、容器の上面開口部を閉鎖するプラスチック成形体による蓋であって、該蓋が、最上部の容器開口部を密封する被せ蓋部と、中間部のピルファープルーフバンド部と、下部の外れ防止用リング状バンド部からなり、最上部の被せ蓋部と下部の外れ防止用リング状バンド部とが、円形周囲のうち二箇所に設けられたヒンジ部で被せ蓋部が全開可能に連結されると共に、中間部のピルファープルーフバンド部が、最上部の被せ蓋部と下部の外れ防止用リング状バンド部から切り離し可能に一体的に成形され、且つ、下部の外れ防止用リング状バンド部の前記二箇所のヒンジ部の中間部外側には、被せ蓋部を全開させた時、被せ蓋部の側部周面下部と係合し、被せ蓋部を開放状態に係止する係合突起が設けられていることを特徴とする蓋である。
【００１３】
本発明において、蓋を装着する容器本体は、有底の円筒状、角筒状等の保形性容器であれば何でもよく、また、金属缶、プラスチック成形容器、或いは紙やプラスチックを主体とする複合容器などを用いることができる。
【００１４】
また、この蓋は、たとえば容器本体に内容物が充填され、容器本体の開口部にイージーオープン性の内蓋や、プラスチック成形体による摺り切り板とアルミニウム箔などのバリヤー性基材にヒートシール性樹脂を積層したシール蓋による内蓋で密封された後、容器本体の開口部に外蓋として装着される。
【００１５】
上記構成を有する請求項１に係る発明によれば、以下に列挙するような作用効果を得ることができる。
【００１６】
（１）蓋が容器本体の開口部を密封する被せ蓋部と中間部のピルファープルーフ部と下部の外れ防止用巻付け部を有し、且つ中間部のピルファープルーフ部が切り離し可能に一体的に成形されているので、ピルファープルーフ部を切り取るまでは、未開封であることが保証され、抜き取りやいたずらなどを防止することができる。
【００１７】
（２）容器本体に充填された内容物を使用する際には、蓋中間部のピルファープルーフ部を引き剥がして取り除くことにより、最上部の被せ蓋部が開封可能となる。
【００１８】
（３）ピルファープルーフ部を取り除いた後も、被せ蓋部は、下部の外れ防止用巻付け部とヒンジ部で容器本体に全開可能に連結されており、また、このヒンジ部は、中間部に設けられていたピルファープルーフ部の幅だけ余分の長さを持っているので余裕があり、容器が例えば円筒状の容器であっても、被せ蓋部を例えば開き角度が９０〜１２０°のように大きく全開させることができる。
【００１９】
また、ヒンジ部は、例えば二箇所に設けられているので、個々のヒンジ部は適度の剛性と屈曲性を有すればよく、平紐状など厚みも比較的薄く簡単な形状にすることができる。
【００２０】
（４）更に、被せ蓋部をヒンジ部を支点として前記のように大きな開き角度で全開させた時、下部の外れ防止用巻付け部には、被せ蓋部と係合し、被せ蓋部を開放状態に係止する係止突起が設けられているので、被せ蓋部を容易に全開状態で係止でき、内蓋の取り外し操作や、容器に充填された内容物の計量、取り出し操作を容易に行うことができる。
【００２１】
（５）また、内容物の取り出し操作中も、被せ蓋部は、ヒンジ部で容器本体の開口部の側部に固定されているので、テーブルや台所の台上などに置く必要がなく、ほこりや髪の毛、水滴などの異物混入の危険性が少なく衛生的である。
【００２２】
そして、内容物を小出しに取り出した後も、被せ蓋部の前記係止突起による係止を容易に外すことができ、ヒンジ部を利用して容易に密封性よく再封することができる。
【００２３】
なお、本発明において、ピルファープルーフ部をバンド状に形成し、ヒンジ部間を除く円筒形容器本体の円形周囲に装着すると、請求項１に記載した発明の作用効果に加えて、蓋を開封する際、ワンタッチの操作でピルファープルーフ部を切り取って開封することができると共に、蓋に使用する樹脂の量も低減することができる。また、ヒンジ部間が空隙部として開口しているので、被せ蓋の開閉操作もスムーズに行え、且つヒンジ部の屈曲に対する抵抗力も小さくすることができる。
【００２４】
また、本発明において、蓋を円形に形成し、その円形周囲の複数箇所に設けたヒンジ部を円筒状容器本体の外周に外接する正方形で囲まれる範囲の外側に突出しないように設けるようにすると、請求項１に記載した発明の作用効果に加えて、蓋を装着した円筒状容器本体を段ボール箱などに詰め合わせて輸送する際、ヒンジ部が隣接する容器と接触することがないので、損傷を受けることがなく、コンパクトに梱包でき、安全に効率よく輸送することができる。
【００２５】
また、請求項２に係る発明は、請求項１に記載の容器の蓋において、外れ防止用巻付け部（６１）から被せ蓋部（６０）に向かって突出する台座片（７１）が空隙部（６３）内に設けられたことを特徴とする容器の蓋である。
【００２６】
この請求項２に係る発明によれば、蓋（５１）を容器本体（５２）の開口部（５８）に被せて押圧すると、ピルファープルーフ部（６２）と外れ防止用巻付け部（６１）とが容器本体（５２）に嵌り込み、その際台座片（７１）が空隙部（６３）内において被せ蓋部（６０）に当接し、外れ防止用巻付け部（６１）の撓み変形を防止する。このため、外れ防止用巻付け部（６１）が容器本体（５２）に円滑に嵌り込む。開蓋に際しピルファープルーフ部（６２）を切断後ヒンジ部（６８ａ，６８ｂ）で被せ蓋部（６０）を開放すると、被せ蓋部（６０）が係止突起（７０）に係止し開放状態に保持され、容器本体（５２）の開口部（５８）全体が開放される。
【００２７】
また、請求項３に係る発明は、請求項２に記載の容器の蓋（５１）において、係止突起（７０）が台座片（７１）に設けられたことを特徴とする容器の蓋である。
【００２８】
この請求項３に係る発明によれば、係止突起（７０）が台座片（７１）に設けられるので、台座片（７１）が補強され、この蓋（５１）を容器本体（５２）の開口部（５８）に被せ押圧する際に台座片（７１）の変形がより適正に防止され、外れ防止用巻付け部（６１）が容器本体（５２）に円滑に嵌り込む。
【００２９】
また、請求項４に係る発明は、請求項１乃至請求項３のいずれかに記載の容器の蓋において、ピルファープルーフ部（６２）を除去後ヒンジ部（６８ａ，６８ｂ）で被せ蓋部（６０）を開放した時に被せ蓋部（６０）を開放状態へと案内する案内片（７２）が外れ防止用巻付け部（６１）又は台座片（７１）に設けられたことを特徴とする容器の蓋である。
【００３０】
この請求項４に係る発明によれば、開蓋に際しピルファープルーフ部（６２）を切断後ヒンジ部（６８ａ，６８ｂ）で被せ蓋部（６０）を開放すると、被せ蓋部（６０）が案内片（７２）に案内されつつ係止突起（７０）に係止する。従って、被せ蓋部（６０）の開蓋操作が円滑化され、開放状態の保持が正確に行われる。
【００３１】
また、請求項５に係る発明は、請求項４に記載の容器の蓋において、案内片（７２）が係止突起（７０）と一体で設けられたことを特徴とする容器の蓋である。
【００３２】
この請求項５に係る発明によれば、案内片（７２）が係止突起（７０）に設けられるので、係止突起（７０）が補強されて剛性が高められ、被せ蓋部（６０）と案内片（７２）との係合力が高められる。
【００３３】
また、請求項６に係る発明は、請求項１乃至請求項５のいずれかに記載の容器の蓋において、被せ蓋部（１，５１）が係止突起（８，７０）に係止する時の開度以上に被せ蓋部（１，５１）が開くのを阻止するストッパ（７３，７４）が設けられたことを特徴とする容器の蓋である。
【００３４】
この請求項６に係る発明によれば、被せ蓋部（１，５１）を開けた際、被せ蓋部（１，５１）が係止突起（８，７０）に係止するとストッパ（７３，７４）によりそれ以上の開きを阻止される。これにより、被せ蓋部（１，５１）の過度の開きによる外れ防止用巻付け部（３，６１）ひいては被せ蓋部（１，５１）の容器本体（５０，５２）からの脱落やヒンジ部（５ａ，５ｂ，６８ａ，６８ｂ）の変形、破断が防止される。また、被せ蓋部（１，５１）の内面に使用方法等が表示されている場合使用者が視認しやすくなる。
【００３５】
また、請求項７に係る発明は、請求項１乃至請求項６のいずれかに記載の容器の蓋において、外れ防止用巻付け部（３，６１）が容器本体（５０，５２）の壁面下に没するように容器本体（５０，５２）に巻き付けられたことを特徴とする容器の蓋である。
【００３６】
この請求項７に係る発明よれば、容器本体（５０，５２）を把持する使用者の指等が外れ防止用巻付け部（３，６１）に引っ掛からないようにすることができるので、外れ防止用巻付け部（３，６１）ひいては被せ蓋部（１，５１）の容器本体（５０，５２）からの脱落が防止される。
【００３７】
【発明の実施の形態】
以下に、本発明の容器の蓋、蓋の製造方法など発明の実施の形態について説明する。
【００３８】
＜実施の形態１＞
本発明の容器の蓋に用いる材料は、射出成形などで成形可能なプラスチックであれば特に限定はされないが、蓋の衛生性、密封性、防湿性、経済性などの観点から、ポリエチレン、ポリプロピレン、またはこれらの共重合体を好適に使用することができる。
【００３９】
また、蓋の製造は、例えば上記の樹脂を射出成形することにより容易に製造することができる。
【００４０】
尚、蓋の射出成形の際、中間部のバンド状ピルファープルーフ部を最上部の被せ蓋部と下部のバンド状外れ防止用巻付け部から切り離し可能に一体的に成形する方法は、中間部のピルファープルーフ部の上下に薄肉部を設けて切り離し可能とする方法が好ましいが、上下に複数個の細いつなぎ部または薄いつなぎ部を設けて切り離し可能に一体的に成形してもよい。
【００４１】
また、蓋下部の外れ防止用巻付け部は、円筒状容器本体の上部に確実に固定されることが好ましく、そのためには、両者に互いに嵌合可能な嵌合部を設けることが好ましい。
【００４２】
嵌合部の具体例として、例えば、円筒状容器本体の上部外周にリング状の凸部を設けて雄型嵌合部とし、外れ防止用リング状バンド部の内周面には、前記リング状の凸部に嵌合するリング状などの凹部を設けて雌型嵌合部とし、両者の嵌合により外れ防止用リング状バンド部を円筒状容器本体の上部に確実に固定することができる。
【００４３】
また、蓋の最上部の被せ蓋部の天面などに絵柄その他の意匠を施したい場合は、例えば、前記射出成形の際、ラベル紙などの表面または両面に印刷加工を施し、その表面にポリプロピレンフィルムなどを積層すると共に、裏面には蓋の樹脂と熱接着可能な例えば低密度ポリエチレンなどの熱接着性樹脂層を積層した円形などの印刷シートを成形金型内に挿入して射出成形する所謂インサートインジェクション法により、蓋の成形と同時に絵付け加工を施すことができる。
【００４４】
このような蓋を装着する円筒状容器本体に充填される内容物に関しては、粉状、顆粒状、粒状の内容物が適しているが、小出しに使用して繰り返し再封することが好ましい内容物であれば、固形物や粘体、液体などの内容物であっても構わない。
【００４５】
以下に、図面を用いて本発明を更に具体的に説明する。但し、本発明は、以下の図面に限定されるものではない。
【００４６】
図１は、円筒状容器本体に被せる蓋の一実施例の構成を示す正面図である。
【００４７】
図２は、図１に示した蓋の平面図であり、図３は、図１に示した蓋の側面図である。
【００４８】
また、図４は、図１に示した蓋を円筒状容器本体に装着した状態を説明する部分断面図であり、図５は、図４の断面図に示した蓋の被せ蓋部を開いて係止した状態を説明する部分断面図である。
【００４９】
図１〜図３に示した円筒状容器本体の蓋１００は、最上部の被せ蓋部１と、中間部のピルファープルーフ部２と、下部の外れ防止用巻付け部３からなり、最上部の被せ蓋部１と下部の外れ防止用巻付け部３とは、円形周囲のうち二箇所に設けられたヒンジ部５ａとヒンジ部５ｂとで被せ蓋部１が全開可能に連結されると共に、中間部のピルファープルーフ部２は、上下の被せ蓋部１および外れ防止用巻付け部３から切り離し可能とするため、それぞれ薄肉部４ａまたは薄肉部４ｂを介して被せ蓋部１または外れ防止用巻付け部３と一体的に成形されている。
【００５０】
上記被せ蓋部１は、天面９とそれに連続する側部周面１０とで形成され、天面９の外面には、容器本体が３ピースタイプの円筒状缶である容器本体の場合、それを積み上げた時、その底部巻き締め部に内側から係合して積み上げのずれを防止するための上方に突出するリング状の突起部１１が、天面９の外周に沿って、その内側近傍に設けられている。また、側部周面１０の内側上部、即ち、天面９と側部周面１０の内側角部には、前記容器本体の上部巻き締め部が嵌まり込んで被せ蓋部１を閉じた状態での固定性を高めると共に、被せ蓋部１による密封性を向上させるための成形凹部１４（図４参照）が設けられている。
【００５１】
中間部のピルファープルーフ部２は、前記二箇所に設けられたヒンジ部５ａとヒンジ部５ｂ間を除く円形周囲の被せ蓋部１と外れ防止用巻付け部３の間に、薄肉部４ａまたは薄肉部４ｂを介して設けられており、その両側の端部には、この部分を切り離す際、端部を摘みやすくするための摘み部７ａ、７ｂが設けられている。
【００５２】
摘み部７ａ、７ｂは、その先端側の周囲に空隙部６ｂまたは空隙部６ｃが設けられて、摘み部７ａ、７ｂを摘みやすく形成されているが、更に摘みやすくするために、外側にその厚み程度突出するように形成してもよい。
【００５３】
また、ヒンジ部５ａとヒンジ部５ｂの間は、空隙部６ａとなっているので、被せ蓋部１を開封する際、邪魔になるものがなく、一層容易に被せ蓋部１を全開させることができる。
【００５４】
下部の外れ防止用巻付け部３は、容器本体に装着された外蓋１００の中間部のピルファープルーフ部２を切り取って、被せ蓋部１をヒンジ部５ａ、５ｂを支点として全開させたとき、被せ蓋部１が容器本体から抜け落ちることを防止すると共に、全開させた被せ蓋部１を開いた状態に係止する機能を持たせるために設けたものである。
【００５５】
そのために外れ防止用巻付け部３は、その被せ蓋部１が連結された二箇所のヒンジ部５ａ、５ｂの中間部外側に、全開された被せ蓋部１の側部周面１０の下部に係合して被せ蓋部１を開いた状態に係止する係止突起８（図４、図５も参照）を設け、また、被せ蓋部１の抜け落ち防止のために、容器本体５０（図４、図５参照）の上部外周の外れ防止用巻付け部３の接触位置にはリング状凸部による雄型嵌合部１２を設けると共に、外れ防止用リング状バンド部３の内周面には、前記リング状凸部に嵌合するリング状凹部による雌型嵌合部１３を設けて構成したものである。
【００５６】
尚、本発明において、蓋の外周は、図４にも示すように、円筒状の容器本体の外周よりも外側に突出しないように設けることが、容器の搬送中や輸送用段ボール箱に詰め合わせて輸送する時に、蓋同士がぶつかって損傷されることを防止できる点で一層好ましく、更に同様な意味で、蓋１００のヒンジ部５ａ、５ｂは、蓋１００の円形周囲の二箇所に適宜の間隔をあけて設けられているので、図２に示したように、容器の外周に外接する正方形Ｓで囲まれる範囲の外側に突出しないように設けることが好ましい。
【００５７】
そして、図４は、図１に示した蓋１００を円筒状缶である容器本体に装着した状態を説明する部分断面図である。
【００５８】
図４において、下側の容器本体５０は、上部の蓋１００が装着される部分が括れた形状に形成され、蓋１００を装着した時、蓋１００の外径が容器本体５０の胴部の外径よりも大きくならないように形成されている。
【００５９】
容器本体５０は、この場合、その上部に、内側フランジ部２０が巻き締めされて取り付けられると共に、内側フランジ部２０の上に、例えばプラスチックシートを打ち抜いて摺り切り板４０を形成した円形シートが接合され、更にその上に、アルミニウム箔などのバリヤー性基材シートにヒートシール性樹脂を積層してなる内蓋３０が熱接着されて構成されており、その上に蓋１００が装着されている。
【００６０】
この時、蓋１００の被せ蓋部１の側部周面１０の内側上部、即ち、天面９と側部周面１０の内側角部には、容器本体５０の上部巻き締め部に嵌合する成形凹部１４が設けられているので、被せ蓋部１は、一旦開封した後も密封性よく再封することができる。
【００６１】
図５は、図４の断面図に示した蓋の被せ蓋部を開いて係止した状態を説明する部分断面図であり、容器本体５０に装着された蓋１００のピルファープルーフ部２を切り取った後、被せ蓋部１をその円形周囲の二箇所に設けられたヒンジ部５ａ、５ｂ（図１〜図３参照）を支点として、開き角度９０〜１２０°程度に全開させることにより、被せ蓋部１は、その側部周面１０の下部が外れ防止用巻付け部に設けられた係止突起８と係合して、外れ防止用巻付け部に係止されるものである。
【００６２】
以上のような構成を採ることにより、蓋１００は、内容物が充填され内蓋で密封された容器本体５０の上部に被せて押圧するだけで、下部の外れ防止用巻付け部３の内周面に設けられた雌型嵌合部１３と、被せ蓋部１の内側上部の角部に設けられた成形凹部１４により、容易に固定性よく容器本体５０に装着することができる。
【００６３】
そして、蓋１００の最上部の被せ蓋部１と下部の外れ防止用巻付け部３を連結するヒンジ部５ａ、５ｂが、図２（図４も参照）に示すように円筒状缶である容器本体５０の外周に外接する正方形Ｓで囲まれる範囲の外側に突出しないように設けられているので、蓋１００を装着した容器本体５０を輸送用段ボール箱などに詰め合わせる際、個々の容器本体５０を、少なくとも外れ防止用巻付け部３に設けられた係止突起８同士がぶつからない向きに整列させて詰め合わせることにより、ヒンジ部５ａ、５ｂや係止突起８同士がぶつかり合って損傷されることがなく、コンパクトに梱包できると共に、安全に効率よく輸送することができる。
【００６４】
また、蓋１００の最上部の被せ蓋部１と下部の外れ防止用巻付け部３の間には、薄肉部４ａ、４ｂを介してピルファープルーフ部２が設けられているので、これが切り取られるまでは、未開封であることが容易に判別できる。
【００６５】
容器本体５０に充填された内容物を取り出す際には、前記ピルファープルーフ部２をその端部の摘み部７ａまたは摘み部７ｂを摘んで引き剥がすことにより、容易にピルファープルーフ部２を切り取ることができ、それにより被せ蓋部１が開封可能な状態となる。
【００６６】
次いで、被せ蓋部１のヒンジ部５ａ、５ｂが設けられた側の反対側を引き上げることにより、ヒンジ部５ａ、５ｂを支点として図５に示したように、開き角度が例えば９０〜１２０°となるように被せ蓋部１を全開させることができ、且つ、その開いた状態で、被せ蓋部１の側部周面１０の下部が外れ防止用巻付け部３に設けられた係止突起８に係合して被せ蓋部１が係止される。
【００６７】
従って、例えば、図４に示したように、容器本体５０の上部を封止している内蓋３０を剥がして開封することにより、その下に設けられた摺り切り板４０が露出した状態となるので、計量スプーンなどで充填された内容物をすくい上げ、摺り切り板４０で余分な内容物をかき落とすことにより、容易に計量することができる。
【００６８】
内容物を所望の量だけ計量して取り出した後は、被せ蓋部１は、その外れ防止用巻付け部３の係止突起８による係止を容易に外すことができるので、再度、容器本体５０の上部開口部に被せて押圧することにより、被せ蓋部１の側部周面１０の内側上部の角部に設けられた成形凹部１４と、容器本体５０の上部の巻き締め部とが嵌合され、被せ蓋部１により密封性よく再封することができる。従って、次回の使用まで内容物を安全に保存することができる。
【００６９】
＜実施の形態２＞
次に、本発明の実施の形態２について図面を参照して説明する。
【００７０】
この容器は、図６乃至図１０に示す構造の蓋５１と、図１１に示す構造の容器本体５２とで構成される。
【００７１】
容器本体５２は、図１１に示すように、この実施の形態では金属製の缶として形成され、円筒状の胴部５３が上下の端板５４，５５で閉じられている。胴部５３と上端板５４との間には胴部５３の外周へと突出する上環状突起５６が形成される。この上環状突起５６は缶成形の際の巻き締めにより生じたリムとして形成される。上環状突起５６よりやや下方の胴部５３上には蓋５１を容器本体５２側に固定する手段である下環状突起５７が形成される。上環状突起５６から下環状突起５７に至る箇所は胴部５３の最大径部分より括れており、この部分に装着される蓋５１の外周が容器本体２の胴部３の表面から外へ大きく突出しないようになっている。
【００７２】
容器本体５２の上端板５４には、摺り切り縁５８ａを有する開口部５８が形成される。この開口部５８は内蓋５９により密封される。内蓋５９は例えばアルミニウム箔等のガスバリヤー性基材にヒートシール性樹脂を積層したシート片で形成され、上端板５４に開口部５８を塞ぐようにヒートシールされる。この内蓋５９はイージーオープン性を付与され、上端板５４から容易に引き剥がして開口部５８を開けることが可能である。この内蓋５９は容器本体５２内に図示しない内容物を充填した後シールされる。内容物は、粉状物、顆粒状物、粒状物が適するが、固形物、粘体、液体等であっても構わない。
【００７３】
容器本体５２は金属のほかプラスチック、プラスチックを主体とする複合材等で成形することも可能である。また、その形態も円筒状容器のほか、角筒状容器等として構成し、蓋も容器本体に倣って角形とすることも可能である。
【００７４】
蓋５１は、例えばポリエチレン、ポリプロピレン、これらの共重合体等の材料を射出成形等で一体成形することにより得ることができる。
【００７５】
蓋５１は、図６乃至図１０に示すように、容器本体５２の開口部５８を密封する被せ蓋部６０と、容器本体５２の回りに巻き付けられる外れ防止用巻付け部６１と、被せ蓋部６０と外れ防止用巻付け部６１とを連結するピルファープルーフ部６２と、被せ蓋部６０と外れ防止用巻付け部６１との間にピルファープルーフ部６２の一部を除くように形成される空隙部６３とを備える。この蓋５１は図１２に示すように、上記容器本体５２に上端板５４の上から被せるようにして装着される。
【００７６】
被せ蓋部６０は、図７乃至図１０に示すように、容器本体５２の開口部５８の存する上端板５４に合致する形状の天板６０ａと、天板６０ａの外周から垂下し容器本体５２の胴部５３の上部を取り巻く垂下壁６０ｂとを具備する。
【００７７】
天板６０ａには、例えばこの蓋５１をインサートインジェクションにより製造することによりラベル紙等が貼り付けられ、種々の絵柄が表示される。また、天板６０ａの肩には段丘部６４ａ，６４ｂが上下二段にわたって環状に形成される。上段の段丘部６４ａは蓋５１を容器本体５２に装着する前に多数積み重ねておくために利用される。この段丘部６４ａ上に上段の蓋５１の下縁が乗せられることにより蓋５１同士が高く積み重ねられる。下段の段丘部６４ｂは図１２に示すような蓋５１を被せた容器本体５２を積み重ねておくために利用される。この段丘部６４ｂ上に上段の容器本体５２における下縁のリム５６ａが載せられることにより容器本体５２同士が積み重ねられる。
【００７８】
図９及び図１０に示すように、垂下壁６０ｂの内周面には係合突起６５が環状に形成され、被せ蓋部６０が上端板５４上に被せられた状態でこの係合突起６５が容器本体５２の上環状突起５６と係合する。これにより、被せ蓋部６０は容器本体５２の上端板５４の開口部５８を気密的に塞ぎ、また、後述するように係合突起６５を上環状突起５６に対し係脱させることにより開口部５８を繰り返し気密的に再封することが可能となる。
【００７９】
図７乃至図１０に示すように、外れ防止用巻付け部６１は、上記垂下壁６０ｂと略同径の環状バンドであり、容器本体５２からの蓋５１の脱落を防止する手段として容器本体５２の下環状突起５７と係合する係止凸部６６を内面に備える。この係止凸部６６が下環状突起５７と係合することにより、蓋５１が容器本体５２から容易に外れないように固定される。この外れ防止用巻付け部６１は、後述するようにピルファープルーフ部６２を切り取った後も容器本体５２から抜け落ちないように容器本体５２の胴部５３に巻き付く。
【００８０】
図７乃至図１０に示すように、ピルファープルーフ部６２は、被せ蓋部６０の垂下壁６０ｂの下縁と外れ防止用巻付け部６１の上縁との間にバンド状に介在し、これら三者間の境界線上にはＶ字形の環状溝６７ａ，６７ｂが形成される。
【００８１】
図７乃至図１０に示すように、被せ蓋部６０と外れ防止用巻付け部６１との間には、ピルファープルーフ部６２の一部を除くように空隙部６３が形成され、この空隙部６３内にピルファープルーフ部６２の両端が摘み片６２ａ，６２ｂとして突出する。摘み片６２ａ又は６２ｂを摘んでピルファープルーフ部６２を蓋５１の半径方向に引っ張りつつ環状溝６７ａ，６７ｂ上で引き裂くと、図１３に示すように、空隙部６３内の後述するヒンジ部６８ａ，６８ｂの箇所を除いて被せ蓋部６０が外れ防止用巻付け部６１から分離される。これにより、図１４及び図１５に示すように、被せ蓋部６０を開くことができる。
【００８２】
このピルファープルーフ部６２はこの実施の形態ではバンド状に形成されるが、被せ蓋部６０の垂下壁６０ｂの下縁と外れ防止用巻付け部６１の上縁との境界線上に環状に配置される複数個の細いつなぎ部として設けることも可能である。
【００８３】
図７乃至図９に示すように、空隙部６３は、被せ蓋部６０と外れ防止用巻付け部６１との境界に沿うように湾曲して伸びる。この空隙部６３内に、被せ蓋部６０と外れ防止用巻付け部６１とを連結するヒンジ部６８ａ，６８ｂが二箇所にわたって設けられる。各ヒンジ部６８ａ，６８ｂは蓋５１と一体的に形成され、それらの中央部には屈曲しやすくするため薄肉部６９が形成される。
【００８４】
図６乃至図９に示すように、両ヒンジ部６８ａ，６８ｂ間において、係止突起７０が空隙部６３に臨むように外れ防止用巻付け部６１に設けられる。係止突起７０は外れ防止用巻付け部６１の外面から半径方向に突出する板片であり、ピルファープルーフ部６２を除去後ヒンジ部６８ａ，６８ｂで被せ蓋部６０を開放した時に、図１５に示すように、被せ蓋部６０を開放状態に係止する。被せ蓋部６０はヒンジ部６８ａ，６８ｂを支点にして上端板５４から９０°ないし１２０°の開き角度で拡開し、被せ蓋部６０の垂下壁６０ｂの内面の係合突起６５が係止突起７０に引っ掛かったところで停止する。被せ蓋部６０は屈曲したヒンジ部６８ａ，６８ｂのバネ作用により係止突起７０に食い込もうとするので、開口部５８を全開した状態を保持する。このように被せ蓋部６０を全開状態に保持するには、図６に示すように二つのヒンジ部６８ａ，６８ｂを蓋１の天板６０ａの中心に関しある程度の大きさの角度θで配置する必要がある。この角度θは望ましくは９０°以下、より望ましくは６０°以下である。
【００８５】
図７乃至図９に示すように、空隙部６３内には、外れ防止用巻付け部６１から被せ蓋部６０に向かって突出する台座片７１が設けられる。台座片７１は外れ防止用巻付け部６１の延長部として形成される。台座片７１はその上縁が被せ蓋部６０の垂下壁６０ｂの下縁にできるだけ接近するように形成される。この蓋５１を容器本体５２の開口部５８のある上端板５４から被せて押圧すると、図１２に示すように、被せ蓋部６０とピルファープルーフ部６２と外れ防止用巻付け部６１とが容器本体５２に嵌り込む。その際、台座片７１が空隙部６３内において被せ蓋部６０の垂下壁６０ｂの下縁に当接し、外れ防止用巻付け部６１の押圧方向での撓み変形を防止する。このため、外れ防止用巻付け部６１が容器本体５２の下環状突起５７に円滑に嵌り込む。
【００８６】
この外れ防止用巻付け部６１が容器本体５２の下環状突起５７に嵌り込んだ後は、図１２及び図１３に示すように、容器本体５２の壁面下に没するように容器本体５２に巻き付くので、容器本体５２を把持する使用者の指等が外れ防止用巻付け部６１に引っ掛からない。従って、ピルファープルーフ部６２を引き裂く前又は引き裂いた後において、外れ防止用巻付け部６１ひいては被せ蓋部６０の容器本体５２からの脱落が防止される。
【００８７】
上記係止突起７０は、望ましくは台座片７１の外面に一体的に設けられる。このように係止突起７０を台座片７１に設けると、台座片７１が補強され、この蓋５１を容器本体５２の開口部５８に被せて押圧する際に台座片７１の変形がより適正に防止され、外れ防止用巻付け部６１が容器本体５２に円滑に嵌り込む。
【００８８】
上述したように、ピルファープルーフ部６２を除去後、被せ蓋部６０をヒンジ部６８ａ，６８ｂを支点にして開放すると被せ蓋部６０が係止突起７０によって開放状態に保持されるが、図７、図８、図９及び図１４に示すように、この被せ蓋部６０を開放状態へと案内するための案内片７２が外れ防止用巻付け部６１に設けられる。
【００８９】
案内片７２は係止突起７０の上面と外れ防止用巻付け部６１の外面との境の隅部にリブ状に設けられる。この案内片７２は外れ防止用巻付け部６１の上縁から係止突起７０の先端に向かって傾斜する傾斜縁７２ａを有する。
【００９０】
開蓋に際し、ピルファープルーフ部６２を切断後、ヒンジ部６８ａ，６８ｂで被せ蓋部６０を開放すると、被せ蓋部６０の垂下壁６０ｂの下縁が案内片７２の傾斜縁７２ａ上を滑って案内されつつ係止突起７０を下方に乗り越えて係止突起７０に係止する。これにより、被せ蓋部６０の開蓋操作が円滑化され、開放状態の保持が正確に行われる。
【００９１】
案内片７２は、係止突起７０と別体として形成することもできるが、望ましくは上述したように係止突起７０と一体で設けられる。このように案内片７２を係止突起７０と一体化すると、係止突起７０が補強されてその剛性が高まり、被せ蓋部６０と係止突起７０との係合力が向上する。案内片７２は、係止突起７０と共に外れ防止用巻付け部６１の外面に設けることもできる。
【００９２】
次に、上記容器の蓋の作用について説明する。
【００９３】
蓋５１は容器本体５２と別個に成形された後、次のようにして容器本体５２に装着される。
【００９４】
蓋５１を容器本体５２に開口部５８の上から被せて押圧すると、図１２に示すように、被せ蓋部６０とピルファープルーフ部６２と外れ防止用巻付け部６１とが容器本体５２に嵌り込む。
【００９５】
その際、台座片７１が空隙部６３内において被せ蓋部６０の垂下壁６０ｂの下縁に当接し、外れ防止用巻付け部６１の押圧方向での撓み変形を防止する。このため、図９及び図１０に示すように、外れ防止用巻付け部６１の係止凸部６６が容器本体５２の下環状突起７７と適正に係合する。
【００９６】
また、被せ蓋部６０の垂下壁６０ｂの係合突起６５が容器本体５２の上環状突起５６と係合し、被せ蓋部６０が容器本体５２の上端板５４の開口部５８を気密的に塞ぐ。
【００９７】
さらに、外れ防止用巻付け部６１の係止凸部６６が容器本体５２の下環状突起５７と係合し、これにより蓋５１が容器本体５２から容易に外れないように固定される。
【００９８】
図１２に示す状態において、容器の蓋にはピルファープルーフ部６２の存在が認められるので、未開封であることが容易に判別される。
【００９９】
この容器を開封するには、ピルファープルーフ部６２をその端部の摘み片６２ａ又は６２ｂを摘んで引き剥がし、図１３に示すように被せ蓋部６０を開封可能な状態にする。
【０１００】
次いで、被せ蓋部６０のヒンジ部６８ａ，６８ｂが設けられた側の反対側を引き上げることにより、ヒンジ部６８ａ，６８ｂを支点として図１４に示すように被せ蓋部６０を開く。
【０１０１】
開蓋の際、被せ蓋部６０の垂下壁６０ｂの下縁が案内片７２の傾斜縁７２ａ上を滑って案内されつつ係止突起７０を下方に乗り越え、図１５に示すように係止突起７０に係止する。このように、被せ蓋部６０が案内片７２により案内されるので、被せ蓋部６０の開蓋操作が円滑化され、開放状態の保持が的確に行われる。
【０１０２】
被せ蓋部６０はヒンジ部６８ａ，６８ｂを支点にして上端板５４から９０°ないし１２０°の開き角度で全開し、被せ蓋部６０の垂下壁６０ｂの内面が係止突起７０に引っ掛かったところで停止する。被せ蓋部６０は屈曲したヒンジ部６８ａ，６８ｂのバネ作用により係止突起７０に食い込もうとするので、上端板５４及び開口部５８を全開した状態を保持する。
【０１０３】
被せ蓋部６０が開くと、内蓋５９を上端板５４から引き剥がし、開口部５８を露出させる。そこで、計量スプーン等で内容物をすくい上げ、摺り切り縁５８ａで余分な内容物をかき落とし計量する。この内容物の取り出し操作中、被せ蓋部６０は容器本体５２上に起立し全開状態を保持するので、簡易に内容物を計量し取り出すことができる。
【０１０４】
内容物を取り出した後、被せ蓋部６０を上端板５４上へと押すと、被せ蓋部６０がヒンジ部６８ａ，６８ｂのバネ力に抗して係止突起７０から離脱し、ヒンジ部６８ａ，６８ｂを支点にして上端板５４上へと回動する。
【０１０５】
そこで、被せ蓋部６０を上端板５４上へ強く押し付けると、係合突起６５が上環状突起５６を乗り越えて係合し、開口部５８が気密的に再封される。従って、次回の使用まで内容物が安全に保存される。
【０１０６】
＜実施の形態３＞
この実施の形態３では、実施の形態２の場合と異なり、図１６乃至図１８に示すように、被せ蓋部６０には開蓋時に利用されるストッパ７３が設けられる。より具体的には、被せ蓋部６０における垂下壁６０ｂの外面に空隙部６３に臨むように、ストッパ７３が突起として形成される。図２０に示すように、被せ蓋部６０を開けた際、被せ蓋部６０が係止突起７０に係止すると、ストッパ７３によりそれ以上の開きを阻止される。これにより、被せ蓋部６０の過度の開きによる外れ防止用巻付け部６１ひいては被せ蓋部６０の容器本体５２からの脱落やヒンジ部６８ａ，６８ｂの変形、破断が防止される。また、被せ蓋部６０の内面に使用方法等が表示されている場合は、この表示を使用者が視認しやすくなる。
【０１０７】
その他、この実施の形態３では、図１６乃至図１８に示すように、ピルファープルーフ部６２における両端の摘み片６２ａ，６２ｂが空隙部６３内で幅広に形成され、また、図１６に示すように、その先端片７５が被せ蓋部６０の垂下壁６０ｂの外面から外側に突出している。操作者はこの先端片７５に指を掛けることにより、ピルファープルーフ部６２の摘み片６２ａ，６２ｂを摘みやすくなる。また、操作者がピルファープルーフ部６２を除去した後に被せ蓋部６０を開けやすくするため、図１６及び図１９に示すように、被せ蓋部６０のヒンジ部６８ａ，６８ｂと反対側には、指等を掛けるための摘み片７６が設けられている。また、台座片７１が空隙部６３内においてその上縁が被せ蓋部６０の垂下壁６０ｂの下縁にできるだけ接近するように形成されるほか、台座片７１の左右縁もヒンジ部部６８ａ，６８ｂにできるだけ接近するように形成される。これにより、蓋５１を容器本体５２に装着する際の外れ防止用巻付け部６１の変形がより適正に防止される。
【０１０８】
なお、この実施の形態３の蓋において実施の形態２の蓋と同じ部分には同一の符号を付して示し、その詳細な説明は省略する。
【０１０９】
＜実施の形態４＞
この実施の形態４では、実施の形態３の場合と異なり、図２１乃至図２２に示すように、被せ蓋部６０には開蓋時に利用されるストッパ７４が外れ防止用巻付け部６１に設けられる。より具体的には、外れ防止用巻付け部６１の外面の下側にストッパ７４が突起として形成される。図２２に示すように、被せ蓋部６０を開けた際、被せ蓋部６０が係止突起７０に係止すると、ストッパ７４に被せ蓋部６０の垂下壁６０ｂが当り、被せ蓋部６０はそれ以上の開きを阻止される。これにより、実施の形態３の場合等同様な効果を得ることができる。
【０１１０】
なお、この実施の形態４の蓋において実施の形態２又は実施の形態３の蓋と同じ部分には同一の符号を付して示し、その詳細な説明は省略する。
【０１１１】
【発明の効果】
請求項１に係る発明によれば、容器本体の開口部を密封する被せ蓋部と、容器本体の回りに巻き付けられる外れ防止用巻付け部と、被せ蓋部と外れ防止用巻付け部とを連結するピルファープルーフ部と、被せ蓋部と外れ防止用巻付け部との間にピルファープルーフ部の一部を除くように形成される空隙部とを備え、空隙部内に被せ蓋部と外れ防止用巻付け部とを連結するヒンジ部が複数箇所にわたって設けられ、ピルファープルーフ部を除去後ヒンジ部で被せ蓋部を開放した時に被せ蓋部を開放状態に係止する係止突起が外れ防止用巻付け部に設けられた容器の蓋であるから、粉状、顆粒状、粒状などの内容物を密封包装した容器にピルファープルーフ性を与えることができ、内容物を取り出す際、蓋の被せ蓋部を容器に連結した状態で容易に全開することができると共に係止突起との係合によりこの全開状態を保持することができ、内蓋が施されている場合はその取り外しや内容物の取り出しが容易で、且つ異物混入などの危険性も少なく衛生的であり、更に、内容物を少量ずつ計量して取り出した後も、容易に密封性よく再封することができる。
【０１１２】
請求項２に係る発明によれば、請求項１に記載の容器の蓋において、外れ防止用巻付け部から被せ蓋部に向かって突出する台座片が空隙部内に設けられた容器の蓋であるから、蓋を容器本体の開口部に被せて押圧すると、ピルファープルーフ部と外れ防止用巻付け部とが容器本体に嵌り込み、その際台座片が空隙部内において被せ蓋部に当接し、外れ防止用巻付け部の撓み変形を防止する。このため、外れ防止用巻付け部が容器本体に円滑に嵌り込む。
【０１１３】
請求項３に係る発明によれば、請求項１又は請求項２に記載の容器の蓋において、係止突起が台座片に設けられた容器の蓋であるから、係止突起が台座片に設けられるので、台座片が補強され、この蓋を容器本体の開口部に被せ押圧する際に台座片の変形がより適正に防止され、外れ防止用巻付け部が容器本体に円滑に嵌り込む。
【０１１４】
請求項４に係る発明によれば、請求項１乃至請求項３のいずれかに記載の容器の蓋において、ピルファープルーフ部を除去後ヒンジ部で被せ蓋部を開放した時に被せ蓋部を開放状態へと案内する案内片が外れ防止用巻付け部又は台座片に設けられた容器の蓋であるから、開蓋に際しピルファープルーフ部を切断後ヒンジ部で被せ蓋部を開放すると、被せ蓋部が案内片に案内されつつ係止突起に係止する。従って、被せ蓋部の開蓋操作が円滑化され、開放状態の保持が正確に行われる。
【０１１５】
請求項５に係る発明によれば、請求項４に記載の容器の蓋において、案内片が係止突起と一体で設けられた容器の蓋であるから、係止突起が補強されて剛性が高められ、被せ蓋部と案内片との係合力が高められる。
【０１１６】
請求項６に係る発明によれば、請求項１乃至請求項５のいずれかに記載の容器の蓋において、被せ蓋部が係止突起に係止する時の開度以上に被せ蓋部が開くのを阻止するストッパが設けられた容器の蓋であるから、被せ蓋部を開けた際、被せ蓋部が係止突起に係止するとストッパによりそれ以上の開きを阻止される。これにより、被せ蓋部の過度の開きによる外れ防止用巻付け部ひいては被せ蓋部の容器本体からの脱落やヒンジ部の変形、破断が防止される。また、被せ蓋部の内面に使用方法等が表示されている場合使用者が視認しやすくなる。
【０１１７】
請求項７に係る発明によれば、請求項１乃至請求項６のいずれかに記載の容器の蓋において、外れ防止用巻付け部が容器本体の壁面下に没するように容器本体に巻き付けられた容器の蓋であるから、容器本体を把持する使用者の指等が外れ防止用巻付け部に引っ掛からないようにすることができ、外れ防止用巻付け部ひいては被せ蓋部の容器本体からの脱落が的確に防止される。
【図面の簡単な説明】
【図１】本発明の実施の形態１に係る容器の蓋の構成を示す正面図である。
【図２】図１に示した蓋の平面図である。
【図３】図１に示した蓋の側面図である。
【図４】図１に示した蓋を容器本体に装着した状態を説明する部分断面図である。
【図５】図４の断面図に示した蓋の被せ蓋部を開いて係止した状態を説明する部分断面図である。
【図６】本発明の実施の形態２に係る容器の蓋の平面図である。
【図７】図６中、ＶＩＩ方向矢視図である。
【図８】図６中、ＶＩＩＩ方向矢視図である。
【図９】図７中、ＩＸ−ＩＸ線矢視断面図である。
【図１０】図８中、Ｘ−Ｘ線矢視断面図である。
【図１１】容器本体の半断面図である。
【図１２】蓋を被せた容器本体の半断面図である。
【図１３】図１２に示す容器において蓋からピルファープルーフ部を除去した状態を示す半断面図である。
【図１４】蓋の被せ蓋部を開ける過程を示す部分拡大図である。
【図１５】蓋の被せ蓋部を開け終わった状態を示す部分拡大図である。
【図１６】本発明の実施の形態３に係る容器の蓋の平面図である。
【図１７】図１６中、ＸＶＩＩ方向矢視図である。
【図１８】図１７中、ＸＶＩＩＩ−ＸＶＩＩＩ線矢視断面図である。
【図１９】図１６中、ＸＩＸ−ＸＩＸ線矢視断面図である。
【図２０】蓋の被せ蓋部を開け終わった状態を示す部分拡大図である。
【図２１】本発明の実施の形態４に係る容器の蓋の側面図である。
【図２２】蓋の被せ蓋部を開け終わった状態を示す部分拡大図である。
【符号の説明】
１，６０…被せ蓋部
２，６２…ピルファープルーフ部
３，６１…外れ防止用巻付け部
５ａ，５ｂ，６８ａ，６８ｂ…ヒンジ部
６ａ，６ｂ，６ｃ，６３…空隙部
８，７０…係止突起
５０，５２…容器本体
５１，１００…蓋
５８…開口部
７１…台座片
７２…案内片
７３，７４…ストッパ
【図１】
2004001884.tif 000003
【図２】
2004001884.tif 000004
【図３】
2004001884.tif 000005
【図４】
2004001884.tif 000006
【図５】
2004001884.tif 000007
【図６】
2004001884.tif 000008
【図７】
2004001884.tif 000009
【図８】
2004001884.tif 000010
【図９】
2004001884.tif 000011
【図１０】
2004001884.tif 000012
【図１１】
2004001884.tif 000013
【図１２】
2004001884.tif 000014
【図１３】
2004001884.tif 000015
【図１４】
2004001884.tif 000016
【図１５】
2004001884.tif 000017
【図１６】
2004001884.tif 000018
【図１７】
2004001884.tif 000019
【図１８】
2004001884.tif 000020
【図１９】
2004001884.tif 000021
【図２０】
2004001884.tif 000022
【図２１】
2004001884.tif 000023
【図２２】
2004001884.tif 000024